(57)【要約】【課題】筐体をコンパクト化するために、部分的に冷媒管を１列に構成とした熱交換器を有する空気調和機において、製造コストの上昇を招くことなく、熱交換器能力の向上と確実な水処理を可能とした空気調和機を提供すること。【解決手段】筐体１の前面１ａ及び上面１ｂの吸込口２と筐体の内部に設けたクロスフローファン４との間に配置した熱交換器５の冷媒管を下側１列、上側２列以上の異配列とし、熱交換器５の前面及び後面が連続面をなす一体型に構成することで、凝縮水の飛出し防止等、確実な水処理が可能でまた、工数削減によるコストダウンを図ることができる。【選択図】図１
2006170584.tif 000002
【特許請求の範囲】
【請求項１】
筐体の前面及び上面の吸込口と筐体の内部に設けたクロスフローファンとの間に熱交換器を配置し、前記熱交換器の冷媒管を下側１列、上側２列以上の異配列とし、前記熱交換器の前面及び後面が連続面をなす一体型に構成したことを特徴とする空気調和機。
【請求項２】
前記熱交換器を前面熱交換器とし、前記前面熱交換器の上側で連設され且つ後方下側へ傾斜した冷媒管を２列以上配列する背面熱交換器と逆Ｖの字に組合せて構成した請求項１に記載の空気調和機。
【請求項３】
前記前面熱交換器の下側１列部のフィンの通風抵抗を、前記前面熱交換器や前記背面熱交換器の２列部の通風抵抗より増やした請求項１または２に記載の空気調和機。
【請求項４】
前記前面熱交換器の下側１列部のフィンの通風抵抗を前記前面熱交換器や前記背面熱交換器の２列部より増やすのにスリット数を増やすこととした請求項１〜３のいずれか１項に記載の空気調和機。
【請求項５】
前記前面熱交換器の下側１列部のフィンの通風抵抗を前記前面熱交換器や前記背面熱交換器の２列部より増やすのにスリット高さを変えることとした請求項１〜４のいずれか１項に記載の空気調和機。
【発明の詳細な説明】
【技術分野】
【０００１】
本発明は筐体を薄形・コンパクト化した空気調和機に関するものである。
【背景技術】
【０００２】
従来、この種の空気調和機、特に分離形空気調和機の室内機等においては、居住空間を少しでも有効に利用することができるように、筐体をコンパクトでしかも薄形とすることが要求されている。筐体の奥行き寸法を短くし筐体の薄形化を実現しているものとして、筐体の前面又は上面の吸込口と筐体の内部に設けたクロスフローファンとの間に熱交換器を配置し、熱交換器を筐体前面とクロスフローファンとの間でドレンパン上にほぼ直立する下側熱交換器と、下側熱交換器の上側に連設され且つ後方へ傾斜した上側熱交換器とにより構成し、下側熱交換器よりも上側熱交換器を厚く形成しているものがある（例えば、特許文献１参照）。
【０００３】
図４は、特許文献１に記載された従来の空気調和機の断面図を示すものである。図４に示すように、筐体前面１ａとクロスフローファン４との間でドレンパン６上にほぼ直立する下側熱交換器１２と、下側熱交換器１２の上側に背面が一致するように連接部１３で連設され且つ後方へ傾斜した上側熱交換器１１とにより構成されている。
【０００４】
また、閉塞部材を設けることなく、ドレン水の吹出しを防止する為に上側熱交換器１１の下端前部１４は下側熱交換器１２の前面に揃うように斜めにカットされている。
【特許文献１】特開平９−２１０４５２号公報
【発明の開示】
【発明が解決しようとする課題】
【０００５】
しかしながら、筐体をコンパクト化すると、それに従って熱交換器も小型化しなければならず、そのため熱交換器の厚みを部分的に薄くする必要が生じる。前記従来の構成では、下側熱交換器よりも上側熱交換器の前後厚さを厚く形成してあるために、両熱交換器の連設部において背面が一致するように配置した場合は、上側熱交換器の下端前部が下側熱交換器より突出するため、上側熱交換器の下端前部をほぼ下側熱交換器の前面に揃うように斜めにカットしないと凝縮水が筐体から飛出してしまうという課題を有していた。
【０００６】
また、熱交換器を部分的に冷媒管１列に構成する場合には熱交換量が減少するとともに熱交換器を通過する風速分布が不均一になるため、熱交換能力が減少したり冷媒管の温度が不均一になり高温多湿状態ではファン結露等が発生するという課題をも有していた。
【０００７】
本発明は、前記従来の課題を解決するもので、コストアップすることなく、凝縮水の飛び出しやファン結露の発生等を防ぎ、熱交換能力の向上を図る薄形・コンパクトな筐体の空気調和機を提供することを目的とする。
【課題を解決するための手段】
【０００８】
前記従来の課題を解決するために、本発明の空気調和機は、前面熱交換器の冷媒管を下側１列、上側２列以上の異配列で且つ、前面熱交換器の前面及び後面が連続面をなす一体型構成としたものである。
【０００９】
これによって、上側熱交換器が下側熱交換器よりも突出しないため凝縮水の飛出しを防止できる。また、両熱交換器の連設部に生じる隙間がなくなり、凝縮水がフィン全面を伝って均一に降下するため確実な水処理が可能となる。また、上側熱交換器の下端前部を斜めにカットする必要がないため、経済的である。
【００１０】
また、本発明の空気調和機は、前面熱交換器の下側１列部のフィンの通風抵抗を、前面熱交換器や背面熱交換器の２列部の通風抵抗より増やしたものである。
【００１１】
これによって、下側１列部のフィンの通風抵抗を増やすために閉塞部材を別途設けることなく、熱交換器全体の風速分布を均等に近づけることができ、熱交換能力の向上やファン結露の耐力向上、及びコストダウンを図ることができる。
【発明の効果】
【００１２】
本発明の空気調和機は、薄形・コンパクトな筐体でありながら、コストアップすることなく、凝縮水の飛び出しやファン結露の発生等を防ぎ、熱交換能力の向上を図ることができる。
【発明を実施するための最良の形態】
【００１３】
第１の発明は筐体の前面と上面の吸込口と筐体の内部に設けたクロスフローファンとの間に熱交換器を配置した空気調和機において、熱交換器の冷媒管を下側１列、上側２列以上の異配列で且つ、熱交換器の前面及び後面が連続面をなす一体型に構成したことを特徴とする。
【００１４】
上記構成によれば、前記熱交換器の一体型により冷媒管を２列以上有する上側熱交換器が冷媒管を１列有する下側熱交換器よりも突出しないため凝縮水の飛出しを防止できる。また、両熱交換器の連設部に生じる隙間がなくなり、凝縮水がフィン全面を伝って均一に降下するため確実な水処理が可能となる。また、上側熱交換器の下端前部を斜めにカットする必要がないため、熱交換器の切り込み加工や切欠加工などの人為的な加工手間が不要であると共に、これらの人為的な加工にともなう切り込みクズや切欠クズの発生がなくて経済的である。
【００１５】
第２の発明は、特に、第１の発明の前面熱交換器と上側で連設され、且つ後方下側へ傾斜した冷媒管を２列以上に構成した背面熱交換器とを逆Ｖの字に組合せて構成することを特徴とする。
【００１６】
上記構成によれば、筐体の高さ寸法を変えることなく、熱交換器を多段に折り曲げて伝熱面積の増加による高性能化を図ると共に、据付けスペースの低減による据付け性の向上を図ることができる。
【００１７】
第３の発明は、特に、第１または第２の発明の前面熱交換器の下側１列部のフィンの通風抵抗を前記前面熱交換器や前記背面熱交換器の２列部より増やしたことを特徴とする。
【００１８】
上記構成によれば、前面熱交換器の一体型により、従来利用されてなかった両熱交換器の連設部に生じる隙間部分を有効に利用できるため熱交換器容量の増加が可能となり、風速の強い前面熱交換器の下側１列部のフィンの通風抵抗を増やすことで、空気流入を防止して通風抵抗を増やす閉塞部材を別途設けることなく熱交換器全体の風速分布を均等に近づけることができるため熱交換能力の向上やファン結露の耐力向上、及びコストダウンを図ることができる。
【００１９】
第４の発明は、特に、第１〜３のいずれか１つの発明の前面熱交換器の下側１列部のフィンの通風抵抗を、前面熱交換器や背面熱交換器の２列部より増やすのにスリット数を増やすことを特徴とする。
【００２０】
上記構成によれば、前面熱交換器の一体型により、従来利用されてなかった両熱交換器の連設部に生じる隙間部分を有効に利用できるため熱交換器容量の増加が可能となり、風速の強い前面熱交換器の下側１列部のスリット数を増やしてフィンの通風抵抗を増やすことで、空気流入を防止して通風抵抗を増やす閉塞部材を別途設けることなく熱交換器全体の風速分布を均等に近づけることができるため熱交換能力の向上やファン結露の耐力向上及びコストダウンを図ることができる。
【００２１】
第５の発明は、特に、第１〜４のいずれか１つの発明の前面熱交換器の下側１列部のフィンの通風抵抗を前面熱交換器や背面熱交換器の２列部より増やすのにスリット高さを変えることを特徴とする。
【００２２】
上記構成によれば、前面熱交換器の一体型により、従来利用されてなかった両熱交換器の連設部に生じる隙間部分を有効に利用できるため熱交換器容量の増加が可能となり、風速の強い前面熱交換器の下側１列部のスリット高さを低くしてフィンの通風抵抗を増やすやすことで、空気流入を防止して通風抵抗を増やす閉塞部材を別途設けることなく前面熱交換器の１列部を通過する風量の割合を減らすことができファン結露の耐力向上及びコストダウンを図ることができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における空気調和機の断面図を示すものである。
【００２５】
図１において、空気調和機の筐体１の前面１ａと上面１ｂに吸込口２を、下部に吹出口３をそれぞれ形成すると共に、筐体１の内部下方にはクロスフローファン４を設け、上記吸込口２とクロスフローファン４との間に熱交換器５を配置している。図のように縦に断面して側方からみると、前面熱交換器５ａはドレンパン６上に冷媒管７を下側１列、上側２列以上の異配列で且つ、熱交換器の前面及び後面が連続面をなす一体型に組合されて構成されている。熱交換器５は横方向（図の紙面に垂直な方向）に並列配置した多数のフィン８に冷媒管７を往復、貫通させている。そしてクロスフローファン４により吸込口２から吸い込んだ空気を、熱交換器５で熱交換し、吹出口３から吹き出すようにしている。
【００２６】
以上のように構成された空気調和機について、以下その動作、作用を説明する。
【００２７】
まず、前面熱交換器５ａの冷媒管７を下側１列、上側２列以上の異配列で且つ、熱交換器の前面及び後面が連続面をなす一体型に構成したことにより、図４に示す従来の熱交換器１０のような冷媒管を２列以上有する上側熱交換器１１が冷媒管を１列有する下側熱交換器１２より突出しないため凝縮水の飛出しを防止できる。
【００２８】
また、両熱交換器の連設部１３に生じる隙間がなくなり、凝縮水がフィン全面を伝って均一に降下するため確実な水処理が可能となる。
【００２９】
更に上側熱交換器１１の下端前部１４を斜めにカットする必要がないため、熱交換器の切り込み加工や切欠加工などの人為的な加工手間が不要であると共に、これらの人為的な加工にともなう切り込みクズや切欠クズの発生がなくて経済的である。
【００３０】
以上のように、本実施の形態においては、前面熱交換器の一体型により冷媒管を２列以上有する上側熱交換器が冷媒管を１列有する下側熱交換器よりも突出しないため凝縮水の飛出しを防止でき、両熱交換器の連設部に生じる隙間がなくなって凝縮水がフィン全面を伝って均一に降下するため確実な水処理が可能となる。また、熱交換器の加工手間が不要であると共に、これらの加工にともなうクズの発生がなくて経済的である。
【００３１】
（実施の形態２）
図２は、本発明の第２の実施の形態における空気調和機の断面図を示すものである。
【００３２】
図２において、熱交換器は一体型の前面熱交換器５ａと前面熱交換器５ａの上側で連設され、且つ後方下側へ傾斜した冷媒管７を２列に構成した背面熱交換器５ｂとを逆Ｖの字に組合せて構成されている。
【００３３】
以上のように構成された空気調和機について、以下その動作、作用を説明する。
【００３４】
本発明における空気調和機は、筐体１の高さ寸法を変えることなく、熱交換器５を多段に折り曲げて伝熱面積の増加による高性能化を図ると共に、据付けスペースの低減による据付け性の向上を図ることができる。
【００３５】
また、熱交換器５の一体型により、従来利用されてなかった両熱交換器の連設部１３に生じる隙間部分を有効に利用できるため熱交換器容量の増加が可能となり、風速の強い前面熱交換器５ａの下側１列部のフィン８の通風抵抗を前面熱交換器５ａや背面熱交換器５ｂの２列部より増やすことで、空気流入を防止する閉塞部材を別途設けることなく熱交換器全体の風速分布を均等に近づけることができ前面熱交換器５ａの下側１列部と前面熱交換器５ａや背面熱交換器５ｂの２列部を通過した空気温度を均等に近づけることができるため熱交換能力の向上、温度差がある空気の混入によるファン結露への耐力向上、及びコストダウンを図ることができる。
【００３６】
（実施の形態３）
図３は、本発明の第３の実施の形態における熱交換器のフィン形状の断面図である。
【００３７】
図３において、前面熱交換器５ａの下側１列部のフィン８ｂのスリット１５の数を増やすことによって、前面熱交換器５ａや背面熱交換器５ｂの２列部のフィン８ａ、８ｃより風速の強い前面熱交換器５ａの下側１列部の通風抵抗を増やすことで熱交換能力の向上が図れるとともに、空気流入を防止する閉塞部材を別途設けることなく熱交換器全体の風速分布を均等に近づけることができるためファン結露の耐力向上及びコストダウンを図ることができる。
【００３８】
また、前面熱交換器５ａの下側１列部のフィン８ｂのスリット１５の高さを低く変えることによって、前面熱交換器５ａや背面熱交換器５ｂの２列部のフィン８ａ、８ｃより風速の強い前面熱交換器５ａの下側１列部の通風抵抗を増やしてもよい。これにより、空気流入を防止する閉塞部材を別途設けることなく前面熱交換器５ａの１列部を通過する風量の割合を減らすことができファン結露の耐力向上及びコストダウンを図ることができる。
【産業上の利用可能性】
【００３９】
以上のように、本発明にかかる空気調和機は、薄形・コンパクトで確実な水処理が可能となるので、マルチエアコンや除湿機等の用途にも適用できる。
【図面の簡単な説明】
【００４０】
【図１】本発明の第１の実施の形態における空気調和機の断面図
【図２】本発明の第２の実施の形態における空気調和機の断面図
【図３】本発明の第３の実施の形態における熱交換器のフィン形状の断面図
【図４】従来の空気調和機の断面図
【符号の説明】
【００４１】
１  筐体
１ａ  筐体前面
１ｂ  筐体上面
２  吸込口
３  吹出口
４  クロスフローファン
５  熱交換器
５ａ  前面熱交換器
５ｂ  背面熱交換器
６  ドレンパン
７  冷媒管
８  フィン
８ｂ  前面熱交換器の上側２列部のフィン
８ｂ  前面熱交換器の下側１列部のフィン
８ｃ  背面熱交換器の２列部のフィン
９  スリット
１０  従来の熱交換器
１１  上側熱交換器
１２  下側熱交換器
１３  連設部
１４  下端前部
【図１】
2006170584.tif 000003
【図２】
2006170584.tif 000004
【図３】
2006170584.tif 000005
【図４】
2006170584.tif 000006